(57)【特許請求の範囲】
【請求項１】
物品の物理量を測定する測定部と、
前記測定部での測定結果を表示する測定表示部と、
少なくとも、前記物品の識別情報と、前記測定表示部に表示される測定結果とを同時に撮像可能な単一の撮像部と、
前記撮像部で得られた一の画像データから、少なくとも、前記物品の識別情報と、前記測定表示部に表示される測定結果とが撮像された領域の画像をそれぞれ抽出する画像抽出部と、
前記画像抽出部によって抽出された画像を並べた状態で合成する画像合成部と、
前記画像合成部で合成された画像を記憶する記憶部と、
を備えたことを特徴とする測定履歴管理装置。
【請求項２】
前記測定部は、前記物品を秤量可能な秤量部で構成したことを特徴とする請求項１に記載の測定履歴管理装置。
【請求項３】
前記記憶部は、前記物品の識別情報を記憶可能であり、
前記記憶部に記憶した物品の識別情報と、前記撮像部で撮像した物品の識別情報が合致するか否かを判定する判定部を、さらに備えたことを特徴とする請求項１又は２に記載の測定履歴管理装置。
【請求項４】
前記画像合成部は、合成した画像データに電子署名を追加可能であり、
前記記憶部は、前記画像合成部で合成された電子署名を含む画像データを記憶可能であり、
前記判定部は、前記画像合成部で画像データに追加した電子署名と、前記記憶部に記憶した電子署名とが合致するか否かを判定可能であることを特徴とする請求項３に記載の測定履歴管理装置。
【請求項５】
物品の物理量を測定する測定部と、
前記測定部での測定結果を表示する測定表示部と、
少なくとも、前記物品の識別情報と、前記測定表示部に表示される測定結果とを同時に撮像可能な単一の撮像部と、
を有する測定ユニットと、
前記撮像部で得られた一の画像データから、少なくとも、前記物品の識別情報と、前記測定表示部に表示される測定結果とが撮像された領域の画像をそれぞれ抽出する画像抽出部と、
前記画像抽出部によって抽出された画像を並べた状態で合成する画像合成部と、
前記画像合成部で合成された画像を記憶する記憶部と、
を有する管理ユニットと、
を備え、
前記測定ユニットと、前記管理ユニットとを通信可能としたことを特徴とする測定履歴管理システム。
【請求項６】
物品の物理量を測定する測定部と、
前記測定部での測定結果を表示する測定表示部と、
少なくとも、前記物品の識別情報と、前記測定表示部に表示される測定結果とを同時に撮像可能な単一の撮像部と、
前記撮像部で得られた一の画像データから、少なくとも、前記物品の識別情報と、前記測定表示部に表示される測定結果とが撮像された領域の画像をそれぞれ抽出する画像抽出部と、
前記画像抽出部によって抽出された画像を並べた状態で合成する画像合成部と、
を有する測定ユニットと、
前記画像合成部で合成された画像を記憶する記憶部を有する管理ユニットと、
を備え、
前記測定ユニットと、前記管理ユニットとを通信可能としたことを特徴とする測定履歴管理システム。
【請求項７】
測定部により物品の物理量を測定し、
得られた測定結果を測定表示部に表示し、
少なくとも、前記物品の識別情報と、前記測定表示部に表示される測定結果とを同時に撮像し、
撮像された一の画像データから、少なくとも、前記物品の識別情報と、前記測定表示部に表示される測定結果とが撮像された領域の画像をそれぞれ抽出し、
抽出された画像を並べた状態で合成し、
合成された画像を記憶することを特徴とする測定履歴管理方法。
【請求項８】
画像抽出部、画像合成部、及び、記憶部を備えたコンピュータに、
撮像部によって撮像された一の画像データから、少なくとも、物品の識別情報と、測定表示部に表示する、測定部により物品の物理量を測定した測定結果とが撮像された領域の画像をそれぞれ抽出する第１ステップと、
前記第１ステップで抽出された画像を並べた状態で合成する第２ステップと、
前記第２ステップで合成された画像を記憶するステップと、
を実行させることを特徴とする測定履歴管理プログラム。
【発明の詳細な説明】
【技術分野】
【０００１】
本発明は、測定履歴管理装置、システム、方法及びプログラムに関するものである。
【背景技術】
【０００２】
化学プラント等で、物品（薬液を収容した容器等）を秤量する場合、秤量値を読み誤ったり、あるいは、誤って他の物品を秤量したりする等の人為的なミスが発生することがある。このため、従来から、この種の物品の秤量作業では、人為的なミス等の防止及び発見のために、種々の情報を次のようにして記録管理するようにしている。
【０００３】
例えば、特許文献１では、製造品種毎にテーブルが用意され、物品名、物品コード、秤量実績等のほか、不良原料が検出される等の不具合が発生した場合に、不良原料のロット番号を記録するようにしている。
【０００４】
しかしながら、特許文献１に開示されているのは、単に、種々の情報を文字データとして記録するだけである。このような文字データは簡単に改ざんすることも可能であり、データの信頼性に乏しいという問題がある。
【０００５】
また、秤量する物品の情報（例えば、秤量器が測定する重量値、物品容器の外観形状、表示品名、容器に表示されているバーコード、ロットナンバー、時計に表示される日時情報等）を複数の情報取得手段を用いて取得し、作業員が情報取得手段毎にスチルカメラ等で撮影することも考えられる。
【０００６】
しかしながら、このような物品情報の記録管理は、個々の情報取得手段に対してカメラによる撮影が必要となるため、作業効率が悪いという問題がある。特に、化学プラント等に用いられる薬品には揮発性や爆発性を有するものも多く、安全かつ迅速に物品の情報を記録管理する必要がある。
【０００７】
また、ある物品について、複数の情報取得手段で取得した情報を管理する際、別の物品の情報と取り違えるなどの情報管理ミスが発生する恐れがある。さらに、記録されるデータは数値等の文字データであり、例えば、物品の秤量情報を表計算ソフトなどによって数値で記録する場合、数値を変更するだけで容易にデータの改変ができてしまう等、記録管理した情報の信頼性が低いという問題もある。
【先行技術文献】
【特許文献】
【０００８】
【特許文献１】特開２００７−１１６５８号公報
【発明の概要】
【発明が解決しようとする課題】
【０００９】
本発明の課題とするところは、作業効率良く測定データを記録管理することができる上、記録管理するデータの信頼性を高めることのできる測定履歴管理装置、システム、方法及びプログラムを提供することにある。
【課題を解決するための手段】
【００１０】
本発明は、前記課題を解決するための手段として、
測定履歴管理装置を、
物品の物理量を測定する測定部と、
前記測定部での測定結果を表示する測定表示部と、
少なくとも、前記物品の識別情報と、前記測定表示部に表示される測定結果とを同時に撮像可能な単一の撮像部と、
前記撮像部で得られた一の画像データから、少なくとも、前記物品の識別情報と、前記測定表示部に表示される測定結果とが撮像された領域の画像をそれぞれ抽出する画像抽出部と、
前記画像抽出部によって抽出された画像を並べた状態で合成する画像合成部と、
前記画像合成部で合成された画像を記憶する記憶部と、
を備えた構成としたものである。
【００１１】
この構成により、測定された物品の物理量を表示部に表示し、その物品の識別情報と共に撮像部で撮像し、得られた一の画像から、前記物品の物理量と識別情報とをそれぞれ抽出した後、合成して記憶させることができる。画像データであるため、文字データに比べて改ざんしにくく、情報の信頼性が高い。また、撮像部で１回撮像するだけで、物品の物理量と識別情報とを同時に得ることができるので、迅速かつ正確に記録することが可能となり、作業性も優れている。
【００１２】
前記測定部は、前記物品を秤量可能な秤量部で構成することができる。
【００１３】
前記記憶部は、前記物品の識別情報を記憶可能であり、
前記記憶部に記憶した物品の識別情報と、前記撮像部で撮像した物品の識別情報が合致するか否かを判定する判定部を、さらに備えるのが好ましい。
【００１４】
この構成により、測定対象となる物品の自動判定が可能となり、より作業性に優れている。
【００１５】
前記画像合成部は、合成した画像データに電子署名を追加可能であり、
前記記憶部は、前記画像合成部で合成された電子署名を含む画像データを記憶可能であり、
前記判定部は、前記画像合成部で画像データに追加した電子署名と、前記記憶部に記憶した電子署名とが合致するか否かを判定可能であるのが好ましい。
【００１６】
この構成により、合成画像に電子署名を含めることで、より一層、記録管理するデータの信頼性を高めることが可能となる。
【００１７】
また、本発明は、前記課題を解決するための手段として、
測定履歴管理システムを、
物品の物理量を測定する測定部と、
前記測定部での測定結果を表示する測定表示部と、
少なくとも、前記物品の識別情報と、前記測定表示部に表示される測定結果とを同時に撮像可能な単一の撮像部と、
を有する測定ユニットと、
前記撮像部で得られた一の画像データから、少なくとも、前記物品の識別情報と、前記測定表示部に表示される測定結果とが撮像された領域の画像をそれぞれ抽出する画像抽出部と、
前記画像抽出部によって抽出された画像を並べた状態で合成する画像合成部と、
前記画像合成部で合成された画像を記憶する記憶部と、
を有する管理ユニットと、
を備え、
前記測定ユニットと、前記管理ユニットとを通信可能な構成としたものである。
【００１８】
また、測定履歴管理システムを、
物品の物理量を測定する測定部と、
前記測定部での測定結果を表示する測定表示部と、
少なくとも、前記物品の識別情報と、前記測定表示部に表示される測定結果とを同時に撮像可能な単一の撮像部と、
前記撮像部で得られた一の画像データから、少なくとも、前記物品の識別情報と、前記測定表示部に表示される測定結果とが撮像された領域の画像をそれぞれ抽出する画像抽出部と、
前記画像抽出部によって抽出された画像を並べた状態で合成する画像合成部と、
を有する測定ユニットと、
前記画像合成部で合成された画像を記憶する記憶部を有する管理ユニットと、
を備え、
前記測定ユニットと、前記管理ユニットとを通信可能な構成としてもよい。
【００１９】
また、本発明は、前記課題を解決するための手段として、
測定履歴管理方法を、
測定部により物品の物理量を測定し、
得られた測定結果を測定表示部に表示し、
少なくとも、前記物品の識別情報と、前記測定表示部に表示される測定結果とを同時に撮像し、
撮像された一の画像データから、少なくとも、前記物品の識別情報と、前記測定表示部に表示される測定結果とが撮像された領域の画像をそれぞれ抽出し、
抽出された画像を並べた状態で合成し、
合成された画像を記憶するものである。
【００２０】
また、本発明は、前記課題を解決するための手段として、
測定履歴管理プログラムは、
画像抽出部、画像合成部、及び、記憶部を備えたコンピュータに、
撮像部によって撮像された一の画像データから、少なくとも、物品の識別情報と、測定表示部に表示する、測定部により物品の物理量を測定した測定結果とが撮像された領域の画像をそれぞれ抽出する第１ステップと、
前記第１ステップで抽出された画像を並べた状態で合成する第２ステップと、
前記第２ステップで合成された画像を記憶するステップと、
を実行させるようにしたものである。
【発明の効果】
【００２１】
本発明によれば、物品の物理量の測定結果と、識別情報とを同時に撮像し、得られた一の画像から測定結果と識別情報をそれぞれ抽出して合成画像を形成し、これを記録管理するようにしているので、改ざんしにくく、データの信頼性に優れている。また、一の画像から測定結果と識別情報をそれぞれ抽出して合成画像を形成しているので、迅速かつ正確に記録することができ、しかも作業性に優れている。
【図面の簡単な説明】
【００２２】
【図１】本実施形態に係る測定履歴管理システムの概略図である。
【図２】図１の管理ユニットの基本構成要素を示すブロック図である。
【図３】図１の管理ユニットの機能を示すブロック図である。
【図４Ａ】図１のカメラにより撮影する秤量装置の正面図である。
【図４Ｂ】図１の制御装置で生成した合成画像を示す図である。
【図５】本実施形態に係る情報記録処理を示すフローチャートである。
【図６】本実施形態に係る仕分け処理を示すフローチャートである。
【図７】他の実施形態に係る管理ユニットを示すブロック図である。
【発明を実施するための形態】
【００２３】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２４】
（１．構成）
図１は、本実施形態に係る測定履歴管理システムの概略を示すブロック図である。この測定履歴管理システムは、秤量装置１、カメラ２、スイッチ３、等を備えた秤量ユニット４と、コンピュータ５、管理表示部６等を備えた管理ユニット７とを通信回線を介して互いに接続したものである。
【００２５】
（１−１．秤量ユニット４）
秤量装置１は、秤量台８と、そこから上方に向かって延びる支軸９の上部に設けた秤量表示部１０とを備える。秤量台８には、パッケージ内に食品や薬剤等を収容してなる物品１１が載置されて秤量される。秤量結果は、秤量表示部１０にデジタル表示される。物品１１には、ラベル１１ａが貼着されている。ラベル１１ａには、収容物の名称、重量等の収容物情報のほか、これらのデータに関連付けられたバーコード１１ｂが印刷されている。秤量表示部１０の側方には、表示プレート１２が位置決め可能となっている。表示プレート１２には、物品１１のロット番号１２ａが表示されている。
【００２６】
カメラ２には、防爆カメラ（カメラ本体は、メガピクセルＩＰカメラ）が使用され、化学プラント等の環境下でもその影響を受けることなく、静止画のみならず動画も撮影可能となっている。カメラ２は、秤量装置１の全体を撮影可能に設置され、図４Ａに示す、撮影した秤量装置１の全体画像は、送受信部１３から通信回線を介して後述するコンピュータ５に送信可能となっている。
【００２７】
スイッチ３は、操作されることにより、管理ユニット７側のコンピュータ５に信号を送信し、カメラ２により撮影中の映像から、操作時の静止画を読み込ませるためのものである。秤量装置１からは離れた位置に設置することで、秤量対象となる物品１１が危険物等であっても安全に画像を保存することができる。
【００２８】
（１−２．管理ユニット７）
コンピュータ５は、前記カメラ２で撮像された画像と前記スイッチ３からのオン信号を受信し、制御信号を送信する送受信部１３と、受信した画像に基づいて所定の処理を実行する制御部１４と、秤量対象となる物品１１の情報（物品名、物品コード）等を記憶可能な記憶部２１とを有し、制御部１４で得られた合成画像を表示する管理表示部６（ここでは、液晶モニタを使用している。以下、液晶モニタと記載する。）が接続されている。
【００２９】
送受信部１３では、前記カメラ２で撮像された画像と、前記スイッチ３から接点インターフェイス１５を介して入力されるオン信号とが、スイッチングハブ１６を介して入力される。
【００３０】
制御部１４は、ＣＰＵ２３（Central Processing Unit：中央処理装置）で構成されている。ＣＰＵ２３は、図２に示すように、記憶部２１からプログラム２４を読み込み、図５及び図６に示すフローチャートの各ステップを実行する。また、ＣＰＵ２３は、機能的には、図３に示すように、送受信部１３で受信した画像から特定部位を抽出する画像抽出部１７、抽出した画像を合成して合成画像を得る画像合成部１８、得られた合成画像を液晶モニタ６に表示させる表示制御部１９、合成画像に電子署名を追加する電子署名追加部２０、得られた画像データや、抽出した画像から得られる情報が、記憶部２１に記憶させてある情報にあるか否かを判別する判別部２２、等を備える。
【００３１】
画像抽出部１７は、受信部で受信した、図４Ａに示す一の画像から特定部位、すなわち、前記秤量表示部１０、前記パッケージに貼着されたラベル１１ａ、及び、前記表示プレート１２が撮像された領域を抽出する。画像の抽出方法としては、カメラ２によって撮影される対象物の各位置が決まっていれば、その決められた領域を自動的に抽出するようにすればよい。また、文字認識処理を実行し、自動的に抽出する領域を特定することもでき、エネルギー最小化原理を利用した従来公知のやり方によって自動抽出することも可能である。
【００３２】
画像合成部１８は、画像抽出部１７で抽出した画像を合成する。ここでは、図４Ｂに示すように、縦及び横に４分割した各領域に、抽出した秤量表示部１０、ラベル１１ａ、及び、表示プレート１２の画像と、全体画像とを割り当てて合成している。
【００３３】
表示制御部１９は、液晶モニタ６に、画像合成部１８で得られた合成画像を表示させるほか、送受信部１３で受信した、前記カメラ２で撮像された一の画像や、記憶部２１に記憶させてある物品情報を表示させる。また、表示制御部１９は、合成画像に電子署名が追加されていれば、この合成画像を表示させた状態で、電子署名を追加表示させることもできる。
【００３４】
電子署名追加部２０は、所定の電子署名を合成画像データに追加させる。電子署名を追加することにより、合成画像の改ざんが防止される。なお、電子署名の形式は、従来公知のものでもよい。
【００３５】
判別部２２は、後述するように、秤量する物品１１が適切なものであるか否かの判別を行うためのものである。判別部２２では、画像合成部１８で得られた合成画像データから必要な情報を読み取り、その情報が適切か否かを判定する。
【００３６】
記憶部２１は、受信部で受信した一の画像、画像合成部１８で合成した合成画像データのほか、対象となる物品１１の物品名、物品コード等の物品情報、秤量結果を示す秤量値等のデータがデータベース２５として記憶することができる。また、記憶部２１は、後述する情報記録処理及び仕分け処理を実行するためのプログラム２４を記憶する。
【００３７】
なお、液晶モニタ６及び表示制御部１９は必ずしも必要なものではなく、必要に応じて設けるようにすればよい。
【００３８】
（２．動作）
次に、前記測定履歴管理システムの動作について説明する。
【００３９】
秤量ユニット４では、作業者が秤量装置１によって対象となる物品１１を秤量台８に載置し、その秤量を行う。このとき、秤量の対象となる物品１１を、そこに貼着したラベルがカメラ２から撮影可能となるように位置決めする。秤量結果は秤量表示部１０にデジタル表示されると共に、通信回線を通じて管理ユニット７側のコンピュータ５へと送信される。また、表示プレート１２には、秤量対象となる物品１１の情報（ここでは、物品１１のロット番号）を表示しておく。そして、スイッチ３を操作して秤量中である旨を管理ユニット７側に送信する。
【００４０】
管理ユニット７では、制御部１４で、秤量する際の情報記録処理と、秤量した物品１１を出荷する際の仕分け処理とを行う。
【００４１】
情報記録処理では、図５のフローチャートに示すように、スイッチ３での入力信号を受信すると（ステップＳ１）、秤量ユニット４のカメラ２にオン信号を出力し、撮影を開始させる（ステップＳ２）。この場合、コンピュータ５側で、作業者がマウス５ａを操作し、画面上でマウスポインタを移動させ、所定位置でクリックすることにより、カメラ２による撮影を開始させるようにすることも可能である。
【００４２】
カメラ２で撮影される画像は、秤量ユニット４の全体である。そして、この画像データを受信し（ステップＳ３）、受信した一の画像データから、前記秤量表示部１０、前記パッケージに貼着されたラベル、及び、前記表示プレート１２の画像データを抽出する（ステップＳ４）。続いて、抽出した画像データを合成し、合成画像データを生成する（ステップＳ５）。さらに、生成された合成画像データに、電子署名を追加する（ステップＳ６）。電子署名の追加が完了すれば、この合成画像データを記憶部２１に記憶させる（ステップＳ７）。
【００４３】
なお、前記情報記録処理では、秤量対象となる物品１１にタグを取り付けた状態で、秤量を行い、タグと共にカメラ２による撮影を行うようにしてもよい。この場合、前記ステップＳ４でタグの画像を抽出し、前記ステップＳ５で、このタグの画像を合成画像データに含め、前記ステップＳ７で記憶部２１に記憶させるようにすればよい。タグには、物品１１に関する情報（物品情報）に関連付けたバーコードを印刷したものや、物品情報を書き込んだＲＦＩＤ（Radio Frequency IDentification）を使用すればよい。勿論、タグに物品情報を直接印刷したものを使用することも可能である。
【００４４】
また、前記ステップＳ７では、日時や、秤量ユニット４での秤量値等も一緒に記憶させるようにしてもよい。また、抽出した画像データのうち、秤量表示部１０に表示される秤量値や、表示プレート１２に表示されるロット番号は、文字認識処理により文字データ化して記憶しておいてもよい。
【００４５】
また、前記ステップＳ７では、抽出した画像データのうち、物品１１に貼着されたラベルに印刷されたバーコードをバーコード認識処理により読み取って対応する物品情報（物品名、物品コード等）を呼び出し、一緒に記憶しておいてもよい（この場合、バーコードに対応する物品情報を、予め記憶部２１や図示しないサーバ等に記憶させて呼び出し可能としておく必要がある。）。
【００４６】
このように、カメラ２による撮影は、秤量ユニット４の全体１回のみであり、秤量及び撮影の対象となる物品１１が、危険性の高い材料等であったとしても、迅速かつ確実に行うことができる。そして、撮影された画像データは、管理ユニット７側のコンピュータ５に送信され、そこで必要箇所の画像が抽出され、合成画像を生成され、電子署名を追加された後、記憶部２１に記憶されるため、改ざんの防止性に優れている。
【００４７】
仕分け処理では、図６のフローチャートに示すように、まず、コンピュータ５につながれた図示しないバーコードリーダにより、出荷待ちの物品１１に貼着したラベルからバーコードを読み取る（ステップＳ１１）。そして、このバーコードに対応する物品情報が、予め記憶部２１に記憶させたデータベース中に存在するか否かを判断する（ステップＳ１２）。
【００４８】
ここで、物品１１にタグが取り付けられている場合、バーコードの読み取りに代えて、前記ステップＳ１１で、このタグ（バーコード、ＲＦＩＤ、文字情報等）を読み取り、前記ステップＳ１２でデータベースの検索を行うようにしてもよい。また、バーコードとタグの両方、あるいは、他の読取可能な情報を含めてそれぞれデータベースを検索するようにしてもよい。これによれば、より一層、仕分け処理の信頼性を高めることが可能となる。
【００４９】
そして、データベース中に該当する物品情報が存在しなければ、物品１１が不適切なものであると判断し、その旨を警告する（ステップＳ１３）。作業者は、この警告に基づいて該当する物品１１を仕分けすればよい。
【００５０】
続いて、データベース中に該当する物品情報が存在すれば、その物品１１について記憶部２１に記憶されている合成画像データに含まれる電子署名と、予め記憶してある電子署名とが合致するか否かを判断する（ステップＳ１４）。これにより、合成画像データが改ざんされていないか否かを判断することが可能となる。もし、電子署名が合致しなければ、前記ステップＳ１３に移行して警告を行う。
【００５１】
さらに、合成画像データが適正なものであれば、データベースから検索された物品情報から秤量値を読み込み、この秤量値が予め設定した基準範囲に含まれるか否かを判断する（ステップＳ１５）。基準範囲に含まれていなければ、前記ステップＳ１３に移行して警告を行い、基準範囲に含まれていれば、適正な物品１１であるとして出荷用として仕分けする。
【００５２】
以上のようにして、データベースに物品情報が存在するか否か、存在する物品情報が適切なものか否かを判断することにより、全て問題ないものについて出荷するように仕分けすることができる。つまり、秤量時のみならず、出荷時にも複数の項目についてチェックすることができるので、より物品１１の信頼性を高めることができる。
【００５３】
なお、本発明は、前記実施形態に記載された構成に限定されるものではなく、種々の変更が可能である。
【００５４】
例えば、前記実施形態では、画像の合成は、管理ユニット７側のコンピュータ５で行うようにしたが、図７に示すように、秤量ユニット４側にも制御部１４を設け、そこで画像合成を行った後、管理ユニット７側に送信するようにしてもよい。
【００５５】
また、前記実施形態では、物品１１を秤量する秤量装置１を備えた秤量ユニット４でカメラ２による撮影を行い、合成画像を記憶させるようにしたが、物品１１の体積を測定するもの等、他の測定装置でも同様に合成画像を記録させることができる。
【００５６】
また、前記実施形態では、秤量ユニット４側のスイッチ３でカメラ２による撮影を開始させるようにしたが、管理ユニット７側での操作により行えるようにしてもよい。例えば、マウスを操作することにより、液晶モニタ６上でマウスポインタを移動させ、所定位置でクリックすることにより、カメラ２による撮影を開始させるようにしてもよい。
【符号の説明】
【００５７】
１…秤量装置
２…カメラ
３…スイッチ
４…秤量ユニット
５…コンピュータ
５ａ…マウス
６…管理表示部（液晶モニタ）
７…管理ユニット
８…秤量台
９…支軸
１０…秤量表示部
１１…物品
１１ａ…ラベル
１１ｂ…バーコード
１２…表示プレート
１２ａ…ロット番号
１３…送受信部
１４…制御部
１５…接点インターフェイス
１６…スイッチングハブ
１７…画像抽出部
１８…画像合成部
１９…表示制御部
２０…電子署名追加部
２１…記憶部
２２…判別部
２３…ＣＰＵ
２４…プログラム
２５…データベース
【図６】
0005426630.tif 000002
【図１】
0005426630.tif 000003
【図２】
0005426630.tif 000004
【図３】
0005426630.tif 000005
【図４Ａ】
0005426630.tif 000006
【図４Ｂ】
0005426630.tif 000007
【図５】
0005426630.tif 000008
【図７】
0005426630.tif 000009